(57)【要約】【課題】インク滴が用紙へ着弾する着弾位置のずれ量を均一化し、画像の乱れを目立ちにくくする。【解決手段】複数のノズル４０を、インクジェット記録ヘッド３２の長手方向Ａへ向かって、ジグザグ形状（稲妻形状）に配列する。これにより、インクジェット記録ヘッド３２の長手方向Ａに隣接するノズル４０同士において、用紙Ｐの搬送方向Ｂに沿った間隔が略均一にできる。用紙Ｐの搬送方向Ｂに沿った間隔を略均一にすることにより、用紙Ｐが搬送される搬送速度に変動が起きても、各ノズル４０から吐出されるインク滴の着弾位置のずれ量が均一化され、画像の乱れを目立ちにくくなる。【選択図】図４
2007168274.tif 000002
【特許請求の範囲】
【請求項１】
２次元に配置された複数のノズルを備えると共に、前記ノズルに対して相対移動する記録媒体へ前記ノズルから液滴を吐出して画像を記録する液滴吐出ヘッドであって、
前記複数のノズルは、前記記録媒体の移動方向と直交する第１方向へずれながら前記記録媒体の移動方向又はその反対方向である第２方向へ３つ以上配列され、前記第２方向と反対方向である第３方向へ折り返されて、前記第１方向へずれながら前記第３方向へ２つ以上配列されていることを特徴とする液滴吐出ヘッド。
【請求項２】
前記複数のノズルは、Ｖ字状に配列されていることを特徴とする請求項１に記載の液滴吐出ヘッド。
【請求項３】
前記複数のノズルは、複数回折り返されて配列されていることを特徴とする請求項１又は請求項２に記載の液滴吐出ヘッド。
【請求項４】
請求項１〜３のいずれか１項に記載の液滴吐出ヘッドが互い違いに複数配列された長尺ヘッドであって、
前記液滴吐出ヘッドの第１方向端部のノズルが、隣接する液滴吐出ヘッドの第１方向端部のノズルと対向するように、前記液滴吐出ヘッドが配列されていることを特徴とする長尺ヘッド。
【請求項５】
請求項１〜３のいずれか１項に記載の液滴吐出ヘッド又は請求項４に記載の長尺ヘッドを備えたことを特徴とする液滴吐出装置。
【発明の詳細な説明】
【技術分野】
【０００１】
本発明は、液滴を吐出する液滴吐出ヘッド、この液滴吐出ヘッドを複数備えた長尺ヘッド、その液滴吐出ヘッド又は長尺ヘッドを備えた液滴吐出装置に関する。
【背景技術】
【０００２】
液滴を吐出する液滴吐出ヘッドを複数備えた長尺ヘッドとしては、２次元にノズルが配置された記録ヘッドユニットが複数配列され、ノズル面の下を搬送される記録媒体の幅（記録媒体の搬送方向と直交する方向の長さ）以上とされた長尺状のインクジェット記録ヘッドが周知である。このインクジェット記録ヘッドでは、ノズル面の下を搬送される記録媒体へ、ノズルからインク滴を吐出して、記録媒体上に画像を記録する。
【０００３】
このようなインクジェット記録ヘッドにおいて、ノズルが、記録媒体の搬送方向に対して、斜め方向に複数配列されたものが公知である（特許文献１、２参照）。
【０００４】
ノズルが斜め方向に複数配列されたインクジェット記録ヘッドでは、インクジェット記録ヘッドの記録ヘッドユニット内で、インクジェット記録ヘッドの長手方向（記録媒体の搬送方向と直交する方向）に隣接するノズルにおいて、周期的に、インクジェット記録ヘッドの短手方向（記録媒体の搬送方向）に沿った間隔が大きくなる場所が発生する。
【０００５】
また、記録ヘッドユニットを複数配列して長尺状のインクジェット記録ヘッドを構成した場合、記録ヘッドユニット間においても、インクジェット記録ヘッドの長手方向に隣接するノズルにおいて、インクジェット記録ヘッドの短手方向の間隔が大きくなる場所が発生してしまう。
【特許文献１】特開２００１−５８４２２号公報
【特許文献２】特開２００１−３３４６６１号公報
【発明の開示】
【発明が解決しようとする課題】
【０００６】
上記のようなインクジェット記録ヘッドを用いたインクジェット記録装置（液滴吐出装置）において、記録媒体を搬送する搬送速度にムラが発生した場合、インク滴が着弾する着弾位置の位置ずれなどが発生し、記録される画像の乱れや濃度ムラなどが発生する。
【０００７】
特に、インクジェット記録ヘッドの長手方向に隣接するノズルにおいて、インクジェット記録ヘッドの短手方向の間隔が大きい部分では、着弾位置のずれ量が大きく変化するため、これらの画像の乱れがより目立ちやすくなる。
【０００８】
また、インクジェット記録ヘッドに対し、記録媒体が斜め方向に搬送された場合、上記のインクジェット記録ヘッドでは、ノズルピッチずれが大きくなり白筋の発生などが問題となっていた。
【０００９】
本発明は、上記事実を考慮し、液滴が記録媒体へ着弾する着弾位置のずれ量を均一化し、画像の乱れを目立ちにくくすることを目的とする。
【課題を解決するための手段】
【００１０】
本発明の請求項１に係る液滴吐出ヘッドは、２次元に配置された複数のノズルを備えると共に、前記ノズルに対して相対移動する記録媒体へ前記ノズルから液滴を吐出して画像を記録する液滴吐出ヘッドであって、前記複数のノズルは、前記記録媒体の移動方向と直交する第１方向へずれながら前記記録媒体の移動方向又はその反対方向である第２方向へ３つ以上配列され、前記第２方向と反対方向である第３方向へ折り返されて、前記第１方向へずれながら前記第３方向へ２つ以上配列されていることを特徴とする。
【００１１】
この構成によれば、２次元に配置された複数のノズルに対して相対移動する記録媒体へ、そのノズルから液滴を吐出して画像を記録する。
【００１２】
ここで、本発明の請求項１の構成では、複数のノズルが、記録媒体の移動方向と直交する第１方向へずれながら記録媒体の移動方向又はその反対方向である第２方向へ３つ以上配列され、第２方向と反対方向である第３方向へ折り返されて、第１方向へずれながら第３方向へ２つ以上配列されている。
【００１３】
このように、第１方向へずれながら第２方向へ配列されたノズルが、第３方向へ折り返されて、第１方向へずれながら第３方向へ配列されているため、第１方向に隣接するノズルにおいて、第２方向又は第３方向の間隔（記録媒体の移動方向の間隔）を均一化できる。
【００１４】
これより、例えば、記録媒体が移動する移動速度に変動が起きても、第１方向に隣接するノズルから吐出される液滴の着弾位置のずれ量が均一化され、画像の乱れを目立ちにくくなる。
【００１５】
本発明の請求項２に係る液滴吐出ヘッドは、請求項１の構成において、前記複数のノズルは、Ｖ字状に配列されていることを特徴とする。
【００１６】
本発明の請求項３に係る液滴吐出ヘッドは、請求項１又は請求項２の構成において、前記複数のノズルは、複数回折り返されて配列されていることを特徴とする。
【００１７】
本発明の請求項４に係る長尺ヘッドは、請求項１〜３のいずれか１項に記載の液滴吐出ヘッドが互い違いに複数配列された長尺ヘッドであって、前記液滴吐出ヘッドの第１方向端部のノズルが、隣接する液滴吐出ヘッドの第１方向端部のノズルと対向するように、前記液滴吐出ヘッドが配列されていることを特徴とする。
【００１８】
本発明の請求項５に係る液滴吐出装置は、請求項１〜３のいずれか１項に記載の液滴吐出ヘッド又は請求項４に記載の長尺ヘッドを備えたことを特徴とする。
【発明の効果】
【００１９】
本発明は、上記構成としたので、液滴が記録媒体へ着弾する着弾位置のずれ量を均一化し、画像の乱れを目立ちにくくすることができる。
【発明を実施するための最良の形態】
【００２０】
以下に、本発明の液滴吐出ヘッド、長尺ヘッド及び液滴吐出装置に係る実施形態の一例を図面に基づき説明する。
【００２１】
まず、液滴を吐出する液滴吐出装置として、インク滴を吐出して用紙（記録媒体）に画像を記録するインクジェット記録装置の全体構成を説明する。図１には、本実施形態に係るインクジェット記録装置１０が示されている。
【００２２】
インクジェット記録装置１０の筐体１４内の下部には、給紙トレイ１６が備えられており、給紙トレイ１６内に積層された用紙Ｐをピックアップロール１８で１枚ずつ取り出すことができる。取り出された用紙Ｐは、所定の搬送経路２２を構成する複数の搬送ロール対２０で搬送される。
【００２３】
給紙トレイ１６の上方には、駆動ロール２４及び従動ロール２６に張架された無端状の搬送ベルト２８が配置されている。搬送ベルト２８の上方には記録ヘッドアレイ３０が配置されており、搬送ベルト２８の平坦部分２８Ｆに対向している。この対向した領域が、記録ヘッドアレイ３０からインク滴が吐出される吐出領域ＳＥとなっている。搬送経路２２を搬送された用紙Ｐは、搬送ベルト２８で保持されてこの吐出領域ＳＥに至り、記録ヘッドアレイ３０に対向した状態で搬送されながら、記録ヘッドアレイ３０から画像情報に応じたインク滴が付着される。
【００２４】
記録ヘッドアレイ３０は、本実施形態では、有効な記録領域が用紙Ｐの幅（搬送方向と直交する方向の長さ）以上とされた長尺状とされ、イエロー（Ｙ）、マゼンタ（Ｍ）、シアン（Ｓ）、及びブラック（Ｋ）の４色それぞれに対応した４つのインクジェット記録ヘッド（長尺ヘッド）３２が搬送方向（用紙Ｐの移動方向）に沿って配置されており、フルカラーの画像を記録可能になっている。
【００２５】
各インクジェット記録ヘッド３２には、インクジェット記録ヘッド３２を駆動制御するコントローラ（図示省略）が接続されている。コントローラは、例えば、画像情報に応じて使用するインク吐出口（ノズル）を決定すると共に、インク滴を吐出する吐出タイミングを決定して、駆動信号をインクジェット記録ヘッド３２に送る構成とされている。
【００２６】
なお、本実施形態では、用紙Ｐを搬送しながら、用紙Ｐへインク滴を吐出して、画像を記録する構成であるが、インクジェット記録ヘッド３２側を移動させながら、用紙Ｐへインク滴を吐出して、画像を記録する構成であってもよい。すなわち、インクジェット記録ヘッド３２のノズルに対して、用紙Ｐを相対移動させながら、用紙Ｐへインク滴を吐出して、画像を記録する構成であればよい。
【００２７】
記録ヘッドアレイ３０の上流側には、電源が接続された帯電ロール３６が配置されている。帯電ロール３６は、従動ロール２６との間で搬送ベルト２８及び用紙Ｐを挟みつつ従動し、用紙Ｐを搬送ベルト２８に押圧する押圧位置と、搬送ベルト２８から離間した離間位置との間を移動可能とされている。押圧位置では、接地された従動ロール２６との間に所定の電位差が生じるため、用紙Ｐに電荷を与えて搬送ベルト２８に静電吸着させることができる。
【００２８】
なお、帯電ロール３６よりもさらに上流側には、図示しないレジロールが設けられており、用紙Ｐが搬送ベルト２８と帯電ロール３６との間に至る前に位置合わせされる。
【００２９】
記録ヘッドアレイ３０の下流側には、剥離プレート（図示省略）が配置されており、用紙Ｐを搬送ベルト２８から剥離することができる。剥離された用紙Ｐは、剥離プレートの下流側で排出経路４４を構成する複数の排出ロール対４２で搬送され、筐体１４の上部に設けられた排紙トレイ４６に排出される。
【００３０】
給紙トレイ１６と搬送ベルト２８の間には、複数の反転用ロール対５０で構成された反転経路１７が設けられており、片面に画像記録された用紙Ｐを反転させて搬送ベルト２８に保持させることで、用紙Ｐの両面への画像記録を容易に行えるようになっている。
【００３１】
搬送ベルト２８と排紙トレイ４６の間には、４色の各インクをそれぞれ貯留するインクタンク５４が設けられている。インクタンク５４のインクは、図示しないインク供給配管によって、記録ヘッドアレイ３０に供給される。インクとしては、水性インク、油性インク、溶剤系インク等、公知の各種インクを使用できる。
【００３２】
記録ヘッドアレイ３０の両側には、それぞれのインクジェット記録ヘッド３２に対応した４つのメンテナンスユニット３４が配置されている。インクジェット記録ヘッド３２に対してメンテナンスを行う場合には、図２に示すように、記録ヘッドアレイ３０が上方へ移動し、搬送ベルト２８との間に構成された間隙にメンテナンスユニット３４が移動して入り込む。そして、ノズル面に対向した状態で、所定のメンテナンス動作（バキューム、ダミージェット、ワイピング、キャッピング等）を行う。
【００３３】
インクジェット記録ヘッド３２は、図３に示すように、例えば、１０個の記録ヘッドユニット（液滴吐出ヘッド）５２Ａ〜５２Ｊから構成されている。
【００３４】
記録ヘッドユニット５２Ａの長手方向（記録媒体の搬送方向と直交する方向、図３においてＸ方向）の一端部（図３において下端部）の一方の側面（図３において左側面）が、記録ヘッドユニット５２Ｂの長手方向一端部（図３において上端部）の一方の側面（図３において右側面）に接合されている。記録ヘッドユニット５２Ｂの長手方向他端部（図３において下端部）の一方の側面（図３において右側面）が、記録ヘッドユニット５２Ｃの長手方向一端部（図３において上端部）の一方の側面（図３において左側面）に接合されている。記録ヘッドユニット５２Ｃの長手方向他端部（図３において下端部）の一方の側面（図３において左側面）が、記録ヘッドユニット５２Ｄの長手方向一端部（図３において上端部）の一方の側面（図３において右側面）に接合されている。これと同様に、記録ヘッドユニット５２Ｄ〜５２Ｊの長手方向端部の側面同士が互いに接合されている。すなわち、１０個の記録ヘッドユニット５２Ａ〜５２Ｊは、互い違いになるように、順次接合されて、千鳥状に配置されている。
【００３５】
なお、本実施形態では、インクジェット記録ヘッド３２は、１０個の記録ヘッドユニット５２Ａ〜５２Ｊで構成されているが、複数の記録ヘッドユニットでインクジェット記録ヘッド３２を構成する場合には、その記録ヘッドユニットの数は、２個以上であればよく、１０個に限られない。また、インクジェット記録ヘッド３２は、複数の記録ヘッドユニットを組み合わせた構成に限られず、単体のインクジェット記録ヘッド（記録ヘッドユニット）で構成されていてもよい。
【００３６】
ここで、各記録ヘッドユニット５２Ａ〜５２Ｊに形成され、インク滴を吐出するノズルの配列について説明する。
【００３７】
各記録ヘッドユニット５２Ａ〜５２Ｊの下面には、図４に示すように、２次元（２行×２列以上）に配置された複数のノズル４０が形成されている。各ノズル４０から吐出されるインク滴が、用紙Ｐ上に記録される画像の各ドットを形成する。なお、図４には、記録ヘッドユニット５２Ａ〜５２Ｊのうち、記録ヘッドユニット５２Ａ、５２Ｂ、５２Ｃを図示している。
【００３８】
複数のノズル４０は、記録ヘッドユニット５２Ａの長手方向（用紙Ｐの搬送方向と直交する方向）Ａの一端部（図４において上端部）から、インクジェット記録ヘッド３２の長手方向（用紙Ｐの搬送方向と直交する方向）Ａに沿って１ドット分ずれながら、用紙Ｐの搬送方向Ｂに沿って８つ配列されている。これにより、インクジェット記録ヘッド３２の長手方向Ａに対して、斜め方向へ直線状に延びるノズル列５６Ａが形成される。
【００３９】
次に、複数のノズル４０は、用紙Ｐの搬送方向Ｂと反対の方向であるＣ方向へ折り返されて、インクジェット記録ヘッド３２の長手方向Ａへ１ドット分ずれながら、Ｃ方向へ７つ配列されている。これにより、インクジェット記録ヘッド３２の長手方向Ａに対して斜め方向へ直線状に延びるノズル列５６Ｂが形成される。このノズル列５６Ｂとノズル列５６Ａによって、Ｖ字状が形成される。
【００４０】
なお、ノズル列５６Ａは、用紙Ｐの搬送方向Ｂに沿って配列されているが、Ｃ方向であってもよく、その場合は、ノズル列５６Ｂは、用紙Ｐの搬送方向Ｂに沿って配列される。また、インクジェット記録ヘッド３２の長手方向Ａは、請求項１における第１方向に相当し、用紙Ｐの搬送方向Ｂは、請求項１における第２方向に相当し、Ｃ方向は、請求項１における第３方向に相当する。
【００４１】
さらに、複数のノズル４０は、用紙Ｐの搬送方向Ｂへ折り返されて、長手方向Ａへ１ドット分ずれながら、用紙Ｐの搬送方向Ｂへ７つ配列されている。これにより、インクジェット記録ヘッド３２の長手方向Ａに対して斜め方向へ直線状に延びるノズル列５６Ｃが形成される。
【００４２】
以下、複数のノズル４０は、上記と同様に、折り返されて配列され、ノズル列５６Ｄ〜５６Ｊが形成され、Ｖ字状が連続した形状をしている。すなわち、複数のノズル４０は、インクジェット記録ヘッド３２の長手方向Ａへ向かって、ジグザグ形状（稲妻形状）に配列されている。
【００４３】
なお、ノズル４０は、各記録ヘッドユニット５２Ｂ〜５２Ｊにおいても、同様に配列されている。また、記録ヘッドユニット５２Ａ〜５２Ｊの各ノズル４０は、インクジェット記録ヘッド３２の長手方向Ａに隣接するノズル４０同士の間隔が、略均一にされている。
【００４４】
各記録ヘッドユニット５２Ａ〜５２Ｊの複数のノズル４０は、奇数回（本実施形態では、９回）折り返されており、各記録ヘッドユニット５２Ａ〜５２Ｊの長手方向Ａの両端（図４において上下端）に設けられたノズル４０Ａ、４０Ｂが、各記録ヘッドユニット５２Ａ〜５２Ｊの短手方向の一端部（図４において右端部又は左端部）に配置されている。
【００４５】
記録ヘッドユニット５２Ａにおいては、ノズル４０Ａ、４０Ｂは、図４における右端側に配置されている。記録ヘッドユニット５２Ｂにおいては、ノズル４０Ａ、４０Ｂは、図４における左端側に配置されている。記録ヘッドユニット５２Ｃにおいては、ノズル４０Ａ、４０Ｂは、図４における右端側に配置されている。
【００４６】
これにより、記録ヘッドユニット５２Ａのノズル４０Ｂは、記録ヘッドユニット５２Ｂのノズル４０Ａと対向して配置され、記録ヘッドユニット５２Ａのノズル４０Ｂと、記録ヘッドユニット５２Ｂのノズル４０Ａとの間隔が、小さく抑えられている。このため、記録ヘッドユニット５２Ａのノズル４０Ｂと、記録ヘッドユニット５２Ｂのノズル４０Ａとの間隔は、各記録ヘッドユニット５２Ａ〜５２Ｊ内における、インクジェット記録ヘッド３２の長手方向Ａに隣接するノズル４０同士の間隔と、略同一とされている。
【００４７】
記録ヘッドユニット５２Ｂのノズル４０Ｂも、同様に、記録ヘッドユニット５２Ｃのノズル４０Ａと対向して配置され、記録ヘッドユニット５２Ｂのノズル４０Ｂと、記録ヘッドユニット５２Ｃのノズル４０Ａとの間隔は、各記録ヘッドユニット５２Ａ〜５２Ｊ内における、インクジェット記録ヘッド３２の長手方向Ａに隣接するノズル４０同士の間隔と、略同一とされている。
【００４８】
他の各記録ヘッドユニット５２Ａ〜５２Ｊの長手方向Ａの両端に設けられたノズル４０Ａ、４０Ｂも同様に、その間隔が、各記録ヘッドユニット５２Ａ〜５２Ｊ内における、インクジェット記録ヘッド３２の長手方向Ａに隣接するノズル４０同士の間隔と、略同一とされている。
【００４９】
なお、各ノズル４０は、記録する画像の解像度、画像を記録する用紙の幅（搬送方向と直交する方向の長さ）などに応じて、隣接するノズルとの間隔や個数が適宜設定される。
【００５０】
次に、上記の実施形態の作用を、従来の構成と対比して説明する。
【００５１】
図５に示すように、ノズル１０２が斜め方向に配列されたノズル列１０４を複数列配置した従来のインクジェット記録ヘッド１００では、インクジェット記録ヘッド１００の記録ヘッドユニット１０６内で、インクジェット記録ヘッド１００の長手方向（用紙の搬送方向と直交する方向）Ａで隣接するノズル１０２において、インクジェット記録ヘッド１００の短手方向（用紙の搬送方向）Ｂの間隔が大きくなる場所が発生する（図５のＬ１参照）。
【００５２】
これに対して、本実施形態に係るインクジェット記録ヘッド３２では、複数のノズル４０が、インクジェット記録ヘッド３２の長手方向Ａへ向かって、ジグザグ形状（稲妻形状）に配列されている。これにより、用紙Ｐの搬送方向と直交する方向に隣接するノズル４０において、用紙Ｐの搬送方向に沿った間隔が均一化できる。
【００５３】
用紙Ｐの搬送方向と直交する方向に隣接するノズル４０において、用紙の搬送方向に沿った間隔が均一化することにより、例えば、用紙Ｐが搬送される搬送速度に変動が起きても、各ノズル４０から用紙Ｐへ吐出されるインク滴の着弾位置のずれ量が均一化され、画像の乱れを目立ちにくくなる。
【００５４】
例えば、１６個のノズルが斜め方向に配列されたノズル列が複数列配置された構成（図５に示すノズル列１０４が１６個のノズルで形成された構成）においては、図６に示すように、用紙の搬送方向と直交する方向の一端から数えて、ｎ＋１５番目のノズルから吐出されたインク滴の着弾位置ずれと、ｎ＋１６番目のノズルから吐出されたインク滴の着弾位置のずれ量が大きく異なる。また、着弾位置のずれ量が大きく異なる箇所が、周期的に現れてしまう。なお、ｎは、１６ｋ＋１（ｋは０及び自然数）である。
【００５５】
これに対して、本実施形態に係る構成において、ノズル列５６Ａが１６個のノズルで形
成された場合には、図７に示すように、着弾位置のずれ量は連続的に変化し、着弾位置のずれ量が均一化する。
【００５６】
この結果、図８（Ａ）に示すような直線状のライン９０を記録する場合に、図５に示す従来のインクジェット記録ヘッド１００では、用紙Ｐが搬送される搬送速度に変動が起きた場合に、図８（Ｂ）に示すように、記録されたライン９０Ａに不連続なパターンが形成される。
【００５７】
これに対して、本実施形態に係るインクジェット記録ヘッド３２では、記録されたライン９０Ｂは、図８（Ｃ）に示すように、波を打つものの不連続なパターンが形成されず、画像の乱れが目立ちにくい。
【００５８】
また、図５に示す従来のインクジェット記録ヘッド１００が、図９に示すように、搬送される用紙Ｐに対して、斜めに傾いた場合は、インクジェット記録ヘッド１００では、白筋が発生する。なお、インクジェット記録ヘッド１００が逆側に傾いた場合は黒筋が発生する。
【００５９】
これに対して、本実施形態に係るインクジェット記録ヘッド３２が、図１０に示すように、搬送される用紙Ｐに対して、斜めに傾いた場合に、本実施形態に係るインクジェット記録ヘッド１００では、画像の濃度変化が出るものの白筋及び黒筋の発生が抑えられる。
【００６０】
また、従来の構成では、記録ヘッドユニット１０６間においても、インクジェット記録ヘッド１００の長手方向（用紙の搬送方向と直交する方向）Ａで隣接するノズル１０２において、インクジェット記録ヘッド１００の短手方向（用紙の搬送方向）Ｂの間隔が大きくなる場所が発生する（図５のＬ２参照）。
【００６１】
これに対して、本実施形態に係る記録ヘッドユニット５２Ａ〜５２Ｊの長手方向Ａの両端（図４において上下端）に設けられたノズル４０Ａ、４０Ｂは、隣接する記録ヘッドユニット５２Ａ〜５２Ｊの長手方向Ａの両端（図４において上下端）に設けられたノズル４０Ａ、４０Ｂに対向して配置されている。これにより、各記録ヘッドユニット５２Ａ〜５２Ｉのノズル４０Ｂと、記録ヘッドユニット５２Ｂ〜５２Ｊのノズル４０Ａとの間隔は、小さく抑えられ、各記録ヘッドユニット５２Ａ〜５２Ｊ内における、インクジェット記録ヘッド３２の長手方向Ａに隣接するノズル４０同士の間隔と略同一とされている。
【００６２】
このため、用紙Ｐが搬送される搬送速度に変動が起きても、記録ヘッドユニット５２Ａ〜５２Ｊ間において、用紙Ｐの搬送方向と直交する方向に隣接するノズル４０から吐出されるインク滴の着弾位置のずれ量が均一化され、画像の乱れを目立ちにくくなる。
【００６３】
なお、本実施形態では、記録ヘッドユニット５２Ａ〜５２Ｊにおいて、複数のノズル４０は、複数回折り返されて、インクジェット記録ヘッド３２の長手方向Ａへ向かってジグザグ形状（稲妻形状）、すなわち、Ｖ字状が連続した形状に配列されていたが、本発明の複数のノズル４０は、図１１に示すように、一回折り返され、ひとつのＶ字が形成されるように、配列される構成であってもよい。
【００６４】
また、本実施形態では、記録ヘッドユニット５２Ａ〜５２Ｊにおいて、複数のノズルは、直線状のノズル列と直線状のノズル列によって、Ｖ字状に形成されていたが、複数のノズル４０のノズル列は、曲線状に形成されていてもよく、図１２に示すように、ｓｉｎカーブ等の曲線状に湾曲させて配列してもよい。
【００６５】
また、本実施形態では、液滴を吐出する液滴吐出装置として、インク滴を吐出して画像を記録するインクジェット記録装置について説明し、液滴を吐出する液滴吐出ヘッドを複数備えた長尺ヘッドとして、インクを吐出して画像を記録するインクジェット記録ヘッドについて説明した。しかし、本発明に係る液滴吐出装置としては、記録用紙上へ画像を記録するものに限定されるものではなく、また、吐出する液体もインクに限定されるものではない。
【００６６】
例えば、高分子フィルムやガラス上にインクを吐出してディスプレイ用カラーフィルターを作成する装置、溶接状態の半田を基板上に吐出して部品実装用のバンプを形成する装置など、工業的に用いられる液滴吐出装置及びその液滴吐出装置に用いられる液滴吐出ヘッド全般に対して、本発明を適用することができる。
【００６７】
また、本発明は、上記の実施形態に限るものではなく、本発明の要旨を逸脱しない限りにおいて、種々の変形、変更、改良が可能である。
【図面の簡単な説明】
【００６８】
【図１】図１は、本実施形態に係るインクジェット記録装置の全体構成を示す図である。
【図２】図２は、本実施形態に係るインクジェット記録装置において、メンテナンス状態を示す図である。
【図３】図３は、本実施形態に係るインクジェット記録ヘッドの構成を示すための図であり、インクジェット記録ヘッドを上方から見た図である。
【図４】図４は、本実施形態に係るインクジェット記録ヘッドに形成されたノズルを示すための図であり、インクジェット記録ヘッドを下面から見た図である。
【図５】図５は、従来のインクジェット記録ヘッドに形成されたノズルを示すための図であり、インクジェット記録ヘッドを下面から見た図である。
【図６】図６は、従来のインクジェット記録ヘッドにおいて、着弾位置のずれ量を示す図である。
【図７】図７は、本発明の実施形態に係るインクジェット記録ヘッドにおいて、着弾位置のずれ量を示す図である。
【図８】図８（Ａ）は、直線状のラインを正常に記録した場合のラインを示す図である。図８（Ｂ）は、従来のインクジェット記録ヘッドにおいて、用紙の搬送速度が変動した場合にて、直線状のラインを記録したときのラインを示す図である。図８（Ｃ）は、本実施形態に係るインクジェット記録ヘッドにおいて、用紙の搬送速度が変動した場合にて、直線状のラインを記録したときのラインを示す図である。
【図９】図９は、従来のインクジェット記録ヘッドが傾いた場合における画像を示す図である。
【図１０】図１０は、本実施形態に係るインクジェット記録ヘッドが傾いた場合における画像を示す図である。
【図１１】図１１は、本実施形態に係るインクジェット記録ヘッドに形成されたノズルにおいて、ノズル配列を変形した変形例を示す図である。
【図１２】図１２は、本実施形態に係るインクジェット記録ヘッドに形成されたノズルにおいて、ノズル配列を変形した変形例を示す図である。
【符号の説明】
【００６９】
１０  インクジェット記録装置（液滴吐出装置）
３２  インクジェット記録ヘッド（長尺ヘッド）
４０  ノズル
５２Ａ〜５２Ｊ  記録ヘッドユニット（液滴吐出ヘッド）
Ｐ  用紙（記録媒体）
【図１】
2007168274.tif 000003
【図２】
2007168274.tif 000004
【図３】
2007168274.tif 000005
【図４】
2007168274.tif 000006
【図５】
2007168274.tif 000007
【図６】
2007168274.tif 000008
【図７】
2007168274.tif 000009
【図８】
2007168274.tif 000010
【図１１】
2007168274.tif 000011
【図１２】
2007168274.tif 000012
【図９】
2007168274.tif 000013
【図１０】
2007168274.tif 000014